(57)【要約】【課題】カメラ本体の吊り金具に取り付ける二重丸カンがカメラ本体と直接触れ合わないようにして、二重丸カンが擦れ動いてもカメラ本体を傷つけることのないカメラ用ストラップの取り付け具と、その取り付け具の構造を備えるカメラ用ストラップを提供する。【解決手段】カメラ本体の吊り金具Ｃｒに取り付ける二重丸カン４の少なくとも一つの周側面に、二重丸カンの周側面を覆う、二重丸カンの直径以上の幅の緩衝体７を設けて、二重丸カンがカメラ本体Ｃと直接触れ合わないようにする。また、緩衝体を紐６からなるように、言い換えると緩衝体を紐やストラップ本体２で代用して、カメラ用ストラップの取り付け具にストラップ本体やカメラ本体との統一感を持たせる。【選択図】図４
2019066673.tif 000002
【特許請求の範囲】
【請求項１】
カメラ本体の吊り金具に取り付けるカメラ用ストラップの取り付け具であって、
前記カメラ用ストラップの取り付け具が、カメラ本体の吊り金具に取り付ける環体と、ストラップ本体に取り付ける留め具と、環体と留め具とをつなぐ紐を有して構成され、
前記環体の少なくとも一つの周側面に、環体の周側面を覆う、環体直径以上の大きさの前記紐からなる緩衝体が設けられていることを特徴とするカメラ用ストラップの取り付け具。
【請求項２】
カメラ本体の吊り金具に取り付けるカメラ用ストラップであって、
前記カメラ用ストラップが、カメラ本体の吊り金具に取り付ける環体と紐を有して構成され、
前記環体の少なくとも一つの周側面に、環体の周側面を覆う、環体直径以上の大きさの前記紐からなる緩衝体が設けられていることを特徴とするカメラ用ストラップ。
【発明の詳細な説明】
【技術分野】
【０００１】
この発明は、カメラ用ストラップの取り付け具に関し、特にカメラ本体の吊（つ）り金具に取り付ける環体がカメラ本体と直接触れ合わないようにして、環体が擦れ動いてもカメラ本体を傷つけることのないカメラ用ストラップの取り付け具と、その取り付け具の構造を備えるカメラ用ストラップに関する。
【背景技術】
【０００２】
カメラ用ストラップの取り付け具としては、三角カンにプラスチックカバーをかぶせるものがカメラ本体の純正品として一般に提供されている。このカメラ用ストラップの取り付け具では、三角カンのうち、底辺と２つの斜辺の一部にプラスチックカバーをかぶせて、金属製の三角カンがカメラ本体に直接当たらないようになっている。
【０００３】
別のカメラ用ストラップの取り付け具としては、二重丸カンに当て革をかぶせるものがカメラ用ストラップの附属品として一般に提供されている。このカメラ用ストラップの取り付け具では、当て革の中央の孔（あな）にカメラ本体の吊り金具を通し、二重丸カンを挟むように二つ折りにして、金属製の二重丸カンがカメラ本体に直接当たらないようになっている。
【０００４】
カメラ用ストラップとしては、丸紐（ひも）と二重丸カンを皮材やプラスチック材からなる接続子を介して間接的につないで、丸紐の破損を防ぐようにしたものが提案させている（例えば、特許文献１参照）。このカメラ用ストラップでは、接続子に取り付けた金属カシメの中に丸紐を通して、二重丸カンの先端鋭角部分が丸紐に当たらないようになっている。
【０００５】
別のカメラ用ストラップとしては、ストラップの中でカメラ本体を傷つける心配のあるプラスチックや金属の接続部をストラップの内側に入れて、ストラップの接続部でカメラ本体を傷つけないようにしたものが提案されている（例えば、特許文献２参照）。このストラップでは、接続部に細い紐を挟み込んで、接続部がカメラ本体に当たらないようになっている。
【先行技術文献】
【特許文献】
【０００６】
【特許文献１】実用新案登録第３１０８８９４号公報（段落０００４，０００５、図３）
【特許文献２】特開平９−２１１７１７号公報（段落０００９、図３）
【発明の概要】
【発明が解決しようとする課題】
【０００７】
しかしながら、前記カメラ本体の純正品として一般に提供されているカメラ用ストラップの取り付け具では、金属製の三角カンにプラスチックカバーをかぶせているところ、カメラ本体もプラスチック製であるために、プラスチックカバーが擦れてカメラ本体を傷つけてしまう。また、このカメラ用ストラップの取り付け具では、プラスチックカバーがカメラ本体と一緒に梱包（こんぽう）されているものの、ユーザーがプラスチックカバーを組み付けなくてはならず煩雑である。
【０００８】
前記カメラ用ストラップの附属品として一般に提供されているカメラ用ストラップの取り付け具では、二重丸カンに当て革をかぶせているところ、当て革が異物との印象を与えるため、せっかくカメラ本体とレンズとストラップで統一感を持たせても、当て革が統一感を損なわせてしまう。また、このカメラ用ストラップの取り付け具でも、ユーザーが当て革を組み付けなくてはならず煩雑である。
【０００９】
さらに、前記カメラ用ストラップの附属品として一般に提供されているカメラ用ストラップの取り付け具では、本革や合成皮革の当て革を二重丸カンにかぶせているところ、本革や合成皮革はストラップに用いられるナイロンや木綿よりも擦れに弱いため、年月がたつうちに当て革が破損しやすい。
【００１０】
前記特許文献１に係るカメラ用ストラップでは、そもそもストラップの破損を防ぐようにしたもので、二重丸カンが擦れてカメラ本体が傷つくという課題がないため、二重丸カンとカメラ本体を直接触れ合わないようにする着想がない。
【００１１】
前記特許文献２に係るカメラ用ストラップでは、そもそもカメラの吊り具が従来どおりのコの字形のストラップ通しであるところ、ストラップ通しであればストラップとの接続に二重丸カンを必要としないため、二重丸カンが擦れてカメラ本体を傷つけてしまうという課題がない。
【００１２】
そこで、この発明では、前記した課題を解決し、特にユーザーが部品を組み付けなくてすむ、一体型のカメラ用ストラップの取り付け具と、その取り付け具の構造を備えるカメラ用ストラップを提供することを目的とする。
【課題を解決するための手段】
【００１３】
前記課題を解決するため、請求項１に係る発明では、カメラ用ストラップの取り付け具を、カメラ本体の吊り金具に取り付ける環体と、ストラップに取り付ける留め具と、環体と留め具とをつなぐ紐を有して構成し、環体の少なくとも一つの周側面に、環体の周側面を覆う、環体直径以上の大きさの前記紐からなる緩衝体を設けた。
【００１４】
請求項２に係る発明では、カメラ用ストラップを、カメラ本体の吊り金具に取り付ける環体と、紐を有して構成し、環体の少なくとも一つの周側面に、環体の周側面を覆う、環体直径以上の大きさの前記紐からなる緩衝体を設けた。
【発明の効果】
【００１５】
請求項１と請求項２に係る発明によれば、カメラ本体の吊り金具に取り付ける環体の少なくとも一つの周側面に、環体の周側面を覆う、環体直径以上の大きさの緩衝体を設けたので、環体がカメラ本体と直接触れ合わないようにでき、環体が擦れ動いてもカメラ本体を傷つけないようにできる。
【００１６】
また、請求項１と請求項２に係る発明によれば、カメラ用ストラップの取り付け具に緩衝体を設けたので、より分かりやすくは、緩衝体をカメラ用ストラップの取り付け具と一体にしてユーザーに提供するようにしたので、ユーザーが緩衝体を組み付けなくてすみ、ユーザーを煩わせないようにできる。
【００１７】
さらに、請求項１と請求項２に係る発明によれば、緩衝体を環体と留め具とをつなぐ紐で代用したので、カメラ用ストラップの取り付け具にストラップとの統一感を持たせることができる。
【００１８】
加えて、請求項１と請求項２に係る発明によれば、緩衝体を環体と留め具とをつなぐ紐で代用したので、緩衝体として別の部材を用意しなくてすみ、部材の種類を少なくすることができる。
【００１９】
請求項１に係る発明によれば、カメラ用ストラップの取り付け具にストラップ本体に取り付ける留め具を備えるようにしたので、例えば発明者による先の出願（特願２０１４−２６７０９１）に係るカメラ用ハンドストラップのような、留め具を備えるストラップに取り付けることができる。そこで、請求項１に係る発明によれば、留め具を備えるストラップに取り付けることができるので、ユーザーが所有しているカメラ用ストラップと組み合わせて使うことができる。
【００２０】
請求項２に係る発明によれば、カメラ用ストラップに緩衝体を設けたので、より分かりやすくは、緩衝体をカメラ用ストラップと一体にしてユーザーに提供するようにしたので、ストラップに統一感を持たせることができる。そして、請求項２に係る発明によれば、緩衝体をカメラ用ストラップと一体にしてユーザーに提供することができるので、例えばカメラ用ストラップをカメラ本体の純正品にすると、カメラ本体とレンズとストラップで統一感を持たせることができる。
【図面の簡単な説明】
【００２１】
【図１】実施形態に係るカメラ用ストラップの斜視図のうち、カメラにカメラ用ストラップを取り付けた状態を示す斜視図である。
【図２】（ａ）は実施形態に係るカメラ用ストラップの取り付け具の斜視図のうち、カメラ本体に向ける側（がわ）の斜視図であり、（ｂ）はカメラ本体に背ける側の斜視図である。
【図３】実施形態に係るカメラ用ストラップの斜視図である。
【図４】実施形態に係るカメラ用ストラップの斜視図のうち、カメラ本体の吊り金具に取り付ける環体がカメラ本体と直接触れ合わない仕組みを説明する斜視図である。
【図５】他の実施形態に係るカメラ用ストラップの斜視図である。
【発明を実施するための形態】
【００２２】
まず、この発明の創作の基礎となる事項について簡単に説明する。発明者は、写真家であり、主に国内外の結婚式などの写真撮影、アルバムの編集・制作・製本を行っている。そして、発明者は、写真家として撮影技術に磨きを掛けるとともに、撮影機材についても様々な工夫を凝らしてきた。
【００２３】
そうした中で発明者は、カメラ業界の動向として、最新の一眼レフカメラには、定番のコの字形のストラップ通しではなく、ストラップ取り付け孔を有する吊り金具を採用する機種が増えていることに気づいた。
【００２４】
そして、発明者は、カメラ用ストラップでは、例えば発明者と協力関係にある者が発明したストラップ（特許第６０５５９６９号）のように、ストラップをたすき掛けにしたまま、片手で長さを調節できるような高機能なストラップに人気があることから、吊り金具を採用した一眼レフカメラでも、カメラ本体と一緒に梱包されている純正品の簡素なストラップではなく、別売りの高機能なストラップを使いたいと望むユーザーがいると考えた。
【００２５】
そこで、発明者は、吊り金具を採用する一眼レフカメラにも、ユーザーが気に入った高機能なストラップを取り付けられるように、カメラ用ストラップの取り付け具の開発に取り組み始めた。ここで、吊り金具を採用する一眼レフカメラでは、ストラップ取り付け孔に二重丸カンの切れ目部分を差し入れて、カメラ用ストラップを取り付けるようになっている。そのため、吊り金具を採用する一眼レフカメラでは、ユーザーがストラップを取り付けるときに、二重丸カンにプラスチックカバーや当て革を組み付けるようになっている。
【００２６】
発明者は、カメラ用ストラップの取り付け具の開発に取り組む中で、ユーザーにとっては、プラスチックカバーや当て革の組み付けは煩雑な作業だと考えるようになった。さらに、発明者はカメラの吊り金具が標準化されていないことから、別売りの当て革の中には、当て革が二重丸カンに対して大きすぎるものがあることに気づいた。
【００２７】
そこで、発明者は、ユーザーが二重丸カンにプラスチックカバーや当て革を組み付けることが常識であるところ、二重丸カンがカメラ本体と直接触れ合わないようにする緩衝体を二重丸カンと一体にすることができれば、ユーザーは緩衝体を組み付ける煩わしさがなくなり、二重丸カンと緩衝体で統一感も持たせられることを見いだし、この発明を創作するに至ったものである。
【００２８】
次に、この発明の実施形態について、適宜図面を参照しながら詳細に説明する。図１は、実施形態に係るカメラ用ストラップの斜視図のうち、カメラにカメラ用ストラップを取り付けた状態を示す斜視図である。図１に示すように、カメラ用ストラップ１は、ストラップ本体２と、ストラップ本体２の両端に着脱可能に取り付けられるカメラ用ストラップの取り付け具３，３とを有して構成されている。そして、実施形態に係るカメラ用ストラップ１では、カメラ本体Ｃの左右両側にある吊り金具Ｃｒ，Ｃｒにカメラ用ストラップの取り付け具３，３を取り付けるように構成されている。
【００２９】
図２は、実施形態に係るカメラ用ストラップの取り付け具３の斜視図である。そして、図２の（ａ）は、カメラ本体に向ける側の斜視図であり、図２の（ｂ）はカメラ本体に背ける側の斜視図である。
【００３０】
図２の（ａ）と（ｂ）に示すように、カメラ用ストラップの取り付け具３は、カメラ本体の吊り金具Ｃｒ（図１参照）に取り付ける環体４と、ストラップ本体２（図１参照）に取り付ける留め具５ｍと、環体４と留め具５ｍとをつなぐ紐６とを有して構成されている。そして、実施形態に係るカメラ用ストラップの取り付け具３では、環体４の少なくとも一つの周側面に、環体４の周側面を覆う、環体４の直径以上の大きさの紐６からなる緩衝体７が設けられている。
【００３１】
環体４は、カメラ本体の吊り金具Ｃｒ（図１参照）に取り付ける留め金具である。環体４は、ここでは金属線を二重に巻いた二重丸カンであり、二重丸カンの切れ目部分からカメラ本体の吊り金具Ｃｒ（図１参照）に差し入れて、カメラ用ストラップの取り付け具３をカメラ本体Ｃ（図１参照）に取り付けられるようになっている。
【００３２】
留め具５ｍは、着脱可能に連結させる留め具である。留め具５ｍは、ここではワンタッチで着脱可能な、いわゆるサイドリリースタイプのオス型バックルであり、後記するメス型バックルに差し入れてワンタッチで着脱できるようになっている。
【００３３】
紐６は、環体４と留め具５ｍとをつなぐひも状の部材である。紐６は、ここではストラップ本体２と同じひも状の部材が用いられている。
【００３４】
緩衝体７は、環体４の周側面を覆う部材である。緩衝体７は、ここでは紐６からなり、紐６の端部を長めに残して作られている。そして、緩衝体７は、環体４の直径以上の大きさに、言い換えると環体４の直径以上の幅にして、環体４がカメラ本体Ｃ（図１参照）と直接触れ合わないようになっている。
【００３５】
図３は、実施形態に係るカメラ用ストラップ１の斜視図である。図３に示すように、カメラ用ストラップ１は、ストラップ本体２と、ストラップ本体２の両端に着脱可能に取り付けられるカメラ用ストラップの取り付け具３，３とを有して構成されている。
【００３６】
ストラップ本体２は、ひも状の部材であり、ストラップ本体２を首に掛けてカメラ本体Ｃ(図１参照)を身につけて持ち運びしやすいようにする部材である。ストラップ本体２は、ここでは両端にワンタッチで着脱可能な、いわゆるサイドリリースタイプのメス型バックル５ｆ，５ｆを備えており、オス型バックル５ｍ，５ｍとはめ合わせてカメラ用ストラップの取り付け具３にワンタッチで着脱できるようになっている。
【００３７】
図４は、実施形態に係るカメラ用ストラップ１の斜視図のうち、カメラ本体の吊り金具Ｃｒ，Ｃｒに取り付ける環体４，４がカメラ本体Ｃと直接触れ合わない仕組みを説明する斜視図である。
【００３８】
図４に示すように、ストラップ本体２を首に掛けてカメラ本体Ｃを身につけて持ち運ぶとカメラ本体Ｃが揺れ動いて、矢印で示すように二重丸カン４とカメラ本体Ｃが擦れ合うところ、実施形態に係るカメラ用ストラップの取り付け具３では、二重丸カン４が緩衝材７を介してカメラ本体Ｃと擦れ合うことになる。そして、実施形態に係るカメラ用ストラップの取り付け具３では、二重丸カン４が緩衝材７を介してカメラ本体Ｃと擦れ合うため、言い換えると二重丸カン４がカメラ本体Ｃと直接触れ合わないため、二重丸カン４が擦れ動いてもカメラ本体Ｃを傷つけることがない。
【００３９】
図５は、実施形態に係る他のカメラ用ストラップの斜視図である。図５に示すように、他の実施形態に係るカメラ用ストラップ１’では、紐６’の両端に二重丸カン４’，４’が取り付けられている。そして、他の実施形態に係るカメラ用ストラップ１’では、二重丸カン４’の少なくとも一つの周側面に、二重丸カン４’の周側面を覆う、二重丸カン４’の直径以上の大きさの紐６’からなる緩衝体７’が設けられている。
【００４０】
以上、この発明の実施形態について説明したが、この発明は前記実施形態には限定されない。例えば、実施形態に係るカメラ用ストラップの取り付け具３では、緩衝体７が二重丸カン４の一つの周側面に設けられていると説明したが、緩衝体７を二重丸カン４の両周側面に設けるようにしてもかまわない。
【００４１】
また、実施形態に係るカメラ用ストラップの取り付け具３では、緩衝体７が二重丸カン４の一部を覆うように、より詳しくは二重丸カン４の半円ほどを覆うように図示したが、二重丸カン４の全部を覆うようにしてもかまわない。
【００４２】
さらに、実施形態に係るカメラ用ストラップの取り付け具３では、緩衝体７が紐６の端部を長めに残して作られていると説明したが、紐６の切れ端を紐６に縫い付けたり、貼り付けたりして作ってもかまわない。
【００４３】
この発明において紐からなる緩衝体とは、緩衝体が環体と留め具とをつなぐ紐やストラップ本体と同じ部材からなることをいう。
【符号の説明】
【００４４】
１    カメラ用ストラップ
２    ストラップ本体
３    カメラ用ストラップの取り付け具
４    環体（二重丸カン）
５ｍ  留め具（オス型バックル）
５ｆ  留め具（メス型バックル）
６    紐
７    緩衝体
Ｃ    カメラ本体
Ｃｒ  吊り金具
【図１】
2019066673.tif 000003
【図２】
2019066673.tif 000004
【図３】
2019066673.tif 000005
【図４】
2019066673.tif 000006
【図５】
2019066673.tif 000007